(57)【特許請求の範囲】
【請求項１】
画像を表示する表示部を有する画像表示装置を眼鏡の所定位置に装着して該画像を観察可能な眼鏡装着型画像表示装置において、前記画像表示装置を位置決めする位置決め部を前記眼鏡のレンズに設け、前記位置決め部を突起、孔、雄ネジあるいは雌ネジにするとともに、前記画像表示装置の一部が前記位置決め部に嵌合または螺合するようにしたことを特徴とする眼鏡装着型画像表示装置。
【請求項２】
画像を表示する表示部を有する画像表示装置を眼鏡の所定位置に装着して該画像を観察可能な眼鏡装着型画像表示装置において、前記画像表示装置を位置決めする位置決め部を前記眼鏡のレンズに設け、前記画像表示装置が、前記表示部の画像を拡大して使用者の目に導く拡大レンズを保持する第１保持部と、前記表示部を保持する第２保持部と、貫通孔から成る前記位置決め部に嵌合するピンとを備え、前記位置決め部を貫通する前記ピンを介して前記レンズの内側に配した第１保持部と前記レンズの外側に配した第２保持部とを連結したことを特徴とする眼鏡装着型画像表示装置。
【請求項３】
画像を表示する表示部を有する画像表示装置を眼鏡の所定位置に装着して該画像を観察可能な眼鏡装着型画像表示装置において、前記画像表示装置を位置決めする位置決め部を前記眼鏡のレンズに設け、前記画像表示装置が、前記表示部の画像を拡大して使用者の目に導くとともに前記表示部と一体化される拡大レンズを備え、孔部または雌ネジ部から成る前記位置決め部に前記拡大レンズが嵌合または螺合するようにしたことを特徴とする眼鏡装着型画像表示装置。
【請求項４】
画像を表示する表示部を有する画像表示装置を眼鏡の所定位置に装着して該画像を観察可能な眼鏡装着型画像表示装置において、前記画像表示装置を位置決めする位置決め部を前記眼鏡のレンズに設け、前記画像表示装置が、前記表示部の画像を拡大して使用者の目に導く拡大レンズと、前記拡大レンズと前記表示部とを一体に保持する保持部とを備え、前記レンズの表面から突出した前記位置決め部に嵌合または螺合する孔部または雌ネジ部を前記保持部に設けたことを特徴とする眼鏡装着型画像表示装置。
【発明の詳細な説明】
【０００１】
【発明の属する技術分野】
本発明は、画像表示装置を眼鏡に取り付けて画像観察できる眼鏡装着型画像表示装置に関する。
【０００２】
【従来の技術】
従来の眼鏡装着型画像表示装置は例えば特開平８−３６１４３号公報に開示されている。画像表示部及び拡大レンズを有する画像表示装置は、眼鏡の所定位置に装着部により取り付けられ、画像が使用者の目に投影されて観察できるようになっている。
【０００３】
【発明が解決しようとする課題】
しかしながら、このような眼鏡装着型画像表示装置において、画像表示装置はゴム等の挟持部材で眼鏡のレンズを挟んで取り付けられている。このため、使用中の衝撃や画像表示装置を眼鏡から取り外した後再装着する際に画像の投影位置が使用者の目に対してずれる場合がある。従って、その度に画像表示装置の位置調整を行う必要があり使用勝手を悪くしていた。また、使用中の衝撃でずれないように前記挟持部材の弾性力を大きくすると該挟持部材が大型化し、使用者の装着時の負担が大きくなる問題がある。
【０００４】
本発明は、画像表示装置の位置ずれを防止することのできる眼鏡装着型画像表示装置を提供することを目的とする。
【０００５】
【課題を解決するための手段】
上記目的を達成するために請求項１〜４に記載された発明は、画像を表示する表示部を有する画像表示装置を眼鏡の所定位置に装着して該画像を観察可能な眼鏡装着型画像表示装置において、前記画像表示装置を位置決めする位置決め部を前記眼鏡のレンズに設けたことを特徴としている。この構成によると、画像表示装置は眼鏡のレンズに位置決め部で位置決めされて装着され、表示部の画像が使用者の目に到達する。
【０００６】
また請求項１に記載された発明は、前記位置決め部を突起、孔、雄ネジあるいは雌ネジにするとともに、前記画像表示装置の一部が前記位置決め部に嵌合または螺合するようにしたことを特徴としている。この構成によると、画像表示装置は眼鏡のレンズに突起、孔、雄ネジあるいは雌ネジから成る位置決め部で位置決めされて装着され、表示部の画像が使用者の目に到達する。この時、画像表示装置は位置決め部に嵌合または螺合するようになっている。
【０００７】
また請求項２に記載された発明は、前記画像表示装置が、前記表示部の画像を拡大して使用者の目に導く拡大レンズを保持する第１保持部と、前記表示部を保持する第２保持部と、貫通孔から成る前記位置決め部に嵌合するピンとを備え、前記位置決め部を貫通する前記ピンを介して前記レンズの内側に配した第１保持部と前記レンズの外側に配した第２保持部とを連結したことを特徴としている。
【０００８】
この構成によると、画像表示装置は眼鏡のレンズの内側に拡大レンズが配され、眼鏡の外側に表示部が配される。そして、貫通孔から成る位置決め部に嵌合するピンが位置決め部を貫通して拡大レンズまたは表示部と一体の第１、第２保持部を介して連結されて装着され、表示部の画像が使用者の目に到達する。
【００１１】
また請求項３に記載された発明は、前記画像表示装置が、前記表示部の画像を拡大して使用者の目に導くとともに前記表示部と一体化される拡大レンズを備え、孔部または雌ネジ部から成る前記位置決め部に前記拡大レンズが嵌合または螺合するようにしたことを特徴としている。
【００１２】
この構成によると、画像表示装置は拡大レンズと前記表示部とが一体に保持される。そして、孔部あるいは雌ネジ部から成る位置決め部に拡大レンズが嵌合または螺合して画像表示装置が眼鏡のレンズに位置決めされて装着され、表示部の画像が使用者の目に到達する。
【００１３】
また請求項４に記載された発明は、前記画像表示装置が、前記表示部の画像を拡大して使用者の目に導く拡大レンズと、前記拡大レンズと前記表示部とを一体に保持する保持部とを備え、前記レンズの表面から突出した前記位置決め部に嵌合または螺合する孔部または雌ネジ部を前記保持部に設けたことを特徴としている。
【００１４】
この構成によると、画像表示装置は拡大レンズと前記表示部とが保持部で一体に保持される。そして、レンズから突出するピンまたは雄ネジ部から成る位置決め部に保持部の孔部あるいは雌ネジ部が嵌合または螺合して画像表示装置が眼鏡のレンズに位置決めされて装着され、表示部の画像が使用者の目に到達する。
【００１５】
【発明の実施の形態】
本発明の実施形態を図を参照して説明する。図１、図２は第１実施形態の眼鏡装着型画像表示装置を示す概略断面図及び部分正面図である。眼鏡装着型画像表示装置１は眼鏡２のレンズ４に画像表示装置３が取り付けられて構成されている。眼鏡２のレンズ４には図３に示すように取付孔４ａ（位置決め部）が２箇所設けられ、画像表示装置３は、拡大レンズ８と表示部３ａとがレンズ４を挟んで取り付けられている。
【００１６】
拡大レンズ８は図４（ａ）の側面断面図及び図４（ｂ）の正面図に示すように拡大レンズ８の支持台８ａには取付孔４ａに嵌合する２箇所のピンが設けられている。表示部３ａは図５（ａ）の側面断面図及び図５（ｂ）の正面図に示すようにバックライト６と液晶パネル７が支持台７ａにより一体化されている。そして、ピン８ａがレンズ４の取付孔４ａ及び支持台７ａに設けられた孔部７ｂに挿通され、抜け止め部８ｃにより保持される。
【００１７】
図６に示すように表示部３ａ側に設けたピン７ｃを拡大レンズ８に設けた孔部に挿通して固定してもよい。また、取付孔４ａ及びピン８ｂは画像表示装置３の回転防止のため２箇所に設けているが、３箇所以上でもよいし、表示部３ａと拡大レンズ８の取付力が大きい場合は１箇所でもよい。
【００１８】
以上のような構成によると、画像表示装置３は眼鏡２に着脱可能で、画像観察が必要な際に画像表示装置３が眼鏡２に装着される。そして、別途設けたバッテリーからリード線を介して供給される電力により液晶パネル７から投射される光は拡大レンズ８を介して使用者の目Ｅに投影され、使用者は画像を観察することができるようになっている。
【００１９】
この時、レンズ４の取付孔４ａと、拡大レンズ８のピン８ｂとが嵌合しているので画像表示装置３の装着位置が一定する。取付孔４ａは眼鏡購入時等に使用者の目に応じた位置に形成しておくと常に使用者の目Ｅの位置に画像が投影される。従って、画像表示装置３を装着毎に位置調整する必要がなく眼鏡装着型画像表示装置１の使用勝手を向上させることができる。ここで、拡大レンズ８を円形（図４（ｂ）参照）でなく長方形にすると、液晶パネル７の形状に合致し、ケラレを減少させることができるので望ましい。
【００２０】
また、レンズ４を弾性体等により挟持することなく画像表示装置３を取り付けることが可能になり、取付部分を小型にすることができるようになる。従来例のようにゴム等の弾性体によりレンズ４を挟持して画像表示装置３を取り付けてもよいが、この場合においても、上記と同様の取付孔４ａ及びピン８ｂを設けることにより画像表示装置３の装着位置を一定にすることができる。
【００２１】
次に、図７は第２施形態の眼鏡装着型画像表示装置を示す概略断面図である。本実施形態は、拡大レンズ８、液晶パネル７及びバックライト６を一体に構成し、レンズ４を固定突起部３ｃ・３ｃで挟持してレンズ４の外側に画像表示装置３を取り付けている。このような構成においても第１実施形態と同様の効果を得ることができる。
【００２２】
また、拡大レンズ８と液晶パネル７とを一体に構成しているので視度がずれることがなく、一度使用者の視度に合わせて設定することで常に良好な状態で画像を見ることができる。本実施形態では、取付孔４ａとピン８ｂとの嵌合により画像表示装置３の位置決めを行っているが、レンズ４にピンを設け、画像表示装置３に孔部を設けてもよい。
【００２３】
次に、図８は第３施形態の眼鏡装着型画像表示装置を示す概略断面図である。本実施形態は、レンズ４に図９のように雌ネジ部４ｂを形成するとともに、画像表示装置３が図１０のように拡大レンズ８、液晶パネル７及びバックライト６を一体に構成され、拡大レンズ８の外周に雄ネジ部８ｅを形成している。そして、雌ネジ部４ｂと雄ネジ部８ｅを螺合してレンズ４の外側に画像表示装置３を取り付けている。このような構成においても第２実施形態と同様の効果を得ることができる。レンズ４に取付孔４ａ（図３参照）を設けて別途締結用のナットを設けてもよい。また、レンズ４に設けた突出部に雄ネジを形成し、画像表示装置３に雌ネジ部を形成してもよい。
【００２４】
次に、図１１は第４施形態の眼鏡装着型画像表示装置を示す概略断面図である。本実施形態は、レンズ４に図１２のように長方形の取付孔７ｃを形成するとともに、画像表示装置３が拡大レンズ８、液晶パネル７及びバックライト６を一体に構成され、拡大レンズ８の断面形状を長方形にしている。そして、レンズ４の取付孔７ｃと拡大レンズ８の周縁が嵌合して固定突起部８ｆで画像表示装置３を固定している。このような構成においても第２実施形態と同様の効果を得ることができる。
【００２５】
【発明の効果】
請求項１の発明によると、例えば、眼鏡のレンズに形成された取付孔と画像表示装置に設けられたピンとの嵌合による位置決め等の、眼鏡のレンズに設けられた位置決め部により画像表示装置が位置決めされている。このため、画像表示装置の装着位置が一定し、常に使用者の目の位置に画像が投影される。従って、画像表示装置を装着毎に位置を調整する必要がなく使用勝手を向上させることができる。また、レンズを弾性体により挟持せずに画像表示装置を取り付けることが可能になり、取付部分を小型にすることができるようになる。
【００２６】
請求項２の発明によると、眼鏡のレンズを挟んで両側に配される拡大レンズと表示部とを、レンズに形成された取付孔に嵌合するピンにより連結することで、画像表示装置が位置決めされている。このため、レンズを挟んで両側に配される拡大レンズと表示部を簡単に連結し、画像表示装置の装着位置を一定にする眼鏡装着型画像形成装置を簡単に実現することができる。
【００２８】
請求項３の発明によると、眼鏡のレンズに形成された孔または雌ネジの位置決め部と画像表示装置に設けられた拡大レンズとの嵌合または螺合により画像表示装置が位置決めされている。このため、画像表示装置の装着位置を一定にする眼鏡装着型画像形成装置を簡単に実現することができる。また、拡大レンズと表示部とを一体に構成しているので視度がずれることがない。
【００２９】
請求項４の発明によると、眼鏡のレンズに形成された突起または雄ネジの位置決め部と画像表示装置に設けられた孔または雌ネジとの嵌合または螺合により画像表示装置が位置決めされている。このため、画像表示装置の装着位置を一定にする眼鏡装着型画像形成装置を簡単に実現することができる。また、拡大レンズと表示部とを一体に構成しているので視度がずれることがない。
【図面の簡単な説明】
【図１】    本発明に係る第１実施形態の眼鏡装着型画像表示装置を示す概略断面図である。
【図２】    本発明に係る第１実施形態の眼鏡装着型画像表示装置を示す概略正面図である。
【図３】    本発明に係る第１実施形態の眼鏡装着型画像表示装置の眼鏡部分を示す斜視図である。
【図４】    本発明に係る第１実施形態の眼鏡装着型画像表示装置の拡大レンズを示す図である。
【図５】    本発明に係る第１実施形態の眼鏡装着型画像表示装置の表示部を示す図である。
【図６】    本発明に係る第１実施形態の眼鏡装着型画像表示装置の他の表示部を示す図である。
【図７】    本発明に係る第２実施形態の眼鏡装着型画像表示装置を示す概略断面図である。
【図８】    本発明に係る第３実施形態の眼鏡装着型画像表示装置を示す概略断面図である。
【図９】    本発明に係る第３実施形態の眼鏡装着型画像表示装置の眼鏡部分を示す斜視図である。
【図１０】  本発明に係る第３実施形態の眼鏡装着型画像表示装置の画像表示装置部分を示す図である。
【図１１】  本発明に係る第４実施形態の眼鏡装着型画像表示装置を示す概略断面図である。
【図１２】  本発明に係る第４実施形態の眼鏡装着型画像表示装置の眼鏡部分を示す斜視図である。
【符号の説明】
１    眼鏡装着型画像表示装置
２    眼鏡
３    画像表示装置
４    レンズ
６    バックライト
７    液晶パネル
８    拡大レンズ
【図１】
0004140111.tif 000002
【図２】
0004140111.tif 000003
【図３】
0004140111.tif 000004
【図４】
0004140111.tif 000005
【図５】
0004140111.tif 000006
【図６】
0004140111.tif 000007
【図７】
0004140111.tif 000008
【図８】
0004140111.tif 000009
【図９】
0004140111.tif 000010
【図１０】
0004140111.tif 000011
【図１１】
0004140111.tif 000012
【図１２】
0004140111.tif 000013